(57)【要約】【課題】所定の背景の上に特定のロゴが印刷された紙葉類の特定のロゴの識別を容易にした紙葉類識別装置を提供する。【解決手段】紙葉類識別装置１は、背景の上に特定のロゴが印刷された紙葉類Ｐが対象となっており、ロゴを鑑別するにあたって、邪魔な背景をできるだけ消失させて、ロゴが浮き立つようにした発明である。これを達成させるために、照明部２０には、背景のうちの特定の印刷色に略合致するような色の光を照射するものが採用されている。従って、照射された光によって照らし出された特定のロゴの像は、結像レンズ部１４を介して撮像手段１０により撮像され、消失した背景上に浮かび上がっている特定のロゴに対し、不自然な部分が無いかどうかを容易に識別することができる。特にこの発明は、背景が単色で複雑な図柄で形成されている場合に最も効果を発揮する。【選択図】  図２
2004234357.tif 000002
【特許請求の範囲】
【請求項１】
所定の背景の上に特定のロゴが印刷された紙葉類の前記特定のロゴを識別するための紙葉類識別装置であって、
筐体内に配置されると共に、前記背景のうちの特定の印刷色に略合致するような色の光を照射する照明部と、
前記筐体内に配置されると共に、前記照明部により照らし出された前記特定のロゴを撮像する撮像手段と、
前記筐体内において、前記照明部と前記撮像手段との間に配置した結像レンズ部とを備えたことを特徴とする紙葉類識別装置。
【請求項２】
前記照明部は、
前記紙葉類を読み取る部位に近接させて環状に配置されると共に、外方に向けて前記光を出射する複数個の光源と、
前記光源の周囲に配置されて、前記各光源から出射した光を前記読取部位に向けて反射させる環状の反射ミラーとを備えたことを特徴とする請求項１記載の紙葉類識別装置。
【請求項３】
前記紙葉類は、赤色系で印刷された前記背景の上に黒色系の抽選対象ロゴが印刷された宝くじであり、前記照明部の光源は、赤外線を発するＬＥＤであることを特徴とする請求項１又は２記載の紙葉類識別装置。
【発明の詳細な説明】
【０００１】
【発明の属する技術分野】
本発明は、特定の背景の上に特定のロゴが印刷された紙葉類の鑑定に利用される紙葉類識別装置に関するものである。
【０００２】
【従来の技術】
従来において、偽造を鑑別する装置として特開平７−３１１８６６号公報がある。この公報に記載された装置は、蛍光成分が含まれている紙幣の鑑別に利用され、紙幣に紫外線を照射し、紙幣からの蛍光反射成分によって出現した像を液晶パネルを介して目視で確認できるようにしたものであり、携帯性に優れている。この装置は、目視では非常に鑑別しにくい偽造紙幣の鑑別用として開発されたものである。
【０００３】
【特許文献１】
特開平７−３１１８６６号公報
【０００４】
【発明が解決しようとする課題】
しかしながら、このような装置は、所定の背景の上に特定のロゴが印刷された紙葉類の特定のロゴを識別するためものではなく、特に、宝くじのように、特定のロゴの一部を切り貼りすることで、偽造を行い易いようなものは、その偽造対策に苦慮しているのが現実である。
【０００５】
本発明は、特に、所定の背景の上に特定のロゴが印刷された紙葉類の特定のロゴの識別を容易にした紙葉類識別装置を提供することを目的とする。
【０００６】
【課題を解決するための手段】
本発明に係る紙葉類識別装置は、所定の背景の上に特定のロゴが印刷された紙葉類の特定のロゴを識別するための紙葉類識別装置であって、筐体内に配置されると共に、背景のうちの特定の印刷色に略合致するような色の光を照射する照明部と、筐体内に配置されると共に、照明部により照らし出された特定のロゴを撮像する撮像手段と、筐体内において、照明部と撮像手段との間に配置した結像レンズ部とを備えたことを特徴とする。
【０００７】
この紙葉類識別装置は、背景の上に特定のロゴが印刷された紙葉類が対象となっており、ロゴを鑑別するにあたって、邪魔な背景をできるだけ消失させて、ロゴが浮き立つようにした発明である。これを達成させるために、照明部には、背景のうちの特定の印刷色に略合致するような色の光を照射するものが採用されている。従って、照射された光によって照らし出された特定のロゴの像は、結像レンズ部を介して撮像手段により撮像され、消失した背景上に浮かび上がっている特定のロゴに対し、不自然な部分が無いかどうかを容易に識別することができる。特にこの発明は、背景が単色で複雑な図柄で印刷されている場合に最も効果を発揮する。
【０００８】
また、照明部は、紙葉類を読み取る部位に近接させて環状に配置されると共に、外方に向けて光を出射する複数個の光源と、光源の周囲に配置されて、各光源から出射した光を読取部位に向けて反射させる環状の反射ミラーとを備えると好適である。このような構成によって、紙葉類を間接光によって照らし出すことができ、直接光を利用した場合に起こる光源の写り込みを防止することができる。そして、光源と反射ミラーとを利用した照明は、紙葉類の表面に対し浅い角度をもって光を照射することができる。このような照射は、特定のロゴの一部を切り貼りよって作り出された偽造物に特に有効である。切り貼りした部分の輪郭は、紙葉類に完全に馴染むことはなく、極僅かではあるが、不自然な亀裂や盛り上がりとなって現れ、このような箇所に、浅い角度から光を入れると、この不自然さを明暗のトーン差でくっきりと際立たせることができる。
【０００９】
また、紙葉類は、赤色系で印刷された背景の上に黒色系の抽選対象ロゴが印刷された宝くじであり、照明部の光源は、赤外線を発するＬＥＤであると好適である。このような構成は、宝くじの真偽鑑別に利用できる単機能製品を可能にする。
【００１０】
【発明の実施の形態】
以下、図面を参照しつつ本発明に係る紙葉類識別装置の好適な実施形態について詳細に説明する。
【００１１】
図１及び図２に示すように、紙葉類識別装置１は、所定の背景の上に特定のロゴ（数字、文字、記号など）が印刷された紙葉類の特定のロゴを識別するためのものであり、紙葉類Ｐとして「宝くじ」を一例に説明する。この紙葉類識別装置１は、遮光及び防塵構造をもった四角柱形状の筺体２を有し、この筺体２の下面（対物面）側には、矩形の撮像用の窓部（読取部位）３が設けられ、窓部３を塞ぐようにして透明な防塵ガラス板４が筐体２に固定されている。更に、筺体２の上面には、矩形のモニタ用の窓部６が設けられ、この窓部６によってカラー又は白黒の液晶モニタ８の画面８ａを露出させる。この装置１が、液晶モニタ８を備えることで携帯に便利である。
【００１２】
さらに、筺体２の内部には、撮像手段としてのＣＣＤ１０が配置され、このＣＣＤ１０は、回路基板１１上にリード部を介して実装されている。そして、回路基板１１は支持部１３に固定され、ＣＣＤ１０の撮像面は、窓部３の中心を通る光軸Ｌ上に配置される。このＣＣＤ１０の前方には、光軸Ｌ上に位置する結像レンズ部１４が配置され、この結像レンズ部１４によって、宝くじＰを至近距離から撮像することができる。
【００１３】
さらに、図２及び図３に示すように、筺体２の内部において、防塵ガラス板４に近接した位置には照明部２０が配置されている。この照明部２０は、外方に向けて発散光を出射するように回路基板２１上に環状に配列した複数個の光源２２（例えば面実装タイプのＬＥＤ又はリードタイプのＬＥＤ）を有し、この回路基板２１は、筐体２内の支持部１３に固定されている。さらに、照明部２０は、各光源（ＬＥＤ）２２からの照射光を、窓部（読取部位）３に向けて反射させる環状の反射ミラー２４を有している。また、この反射ミラー２４は、山と谷とを組み合わせた鋸歯状に形成されている。このような照明部２０の採用によって、宝くじＰを間接光によって照らし出すことができ、直接光を利用した場合に起こる光源２２の写り込みを防止することができ、画質を高めるうえで極めて効果的である。
【００１４】
このような構成を有する紙葉類識別装置１は、宝くじの売り場で、客が持ち込んだ当たり番号を確認するために使用され、特に、近年問題となっている偽造くじ券を見つけ出すために利用される。図４に示すように、宝くじＰにおいては、偽造防止を図るために、複雑な幾何学的図柄（背景）の上に、抽選番号（特定の抽選対象ロゴ）が印字されている。
【００１５】
この図４においては、「１９７４９５」のうちの５桁目の「９」が偽造されているが、目視では、極めて見分けがつき難いように改ざんされている。このような改ざんは、薄皮を剥くように剥ぎ取られた数字の部分に、新たな「９」を切り貼することで、手触りにおいても凹凸がないように精巧に仕上げられており、一見しただけでは、宝くじＰの抽選番号に何ら不都合な点を見つけ出すことができない。
【００１６】
そこで、偽造鑑定を補助するために、この紙葉類識別装置１では、赤系のインクで印刷された幾何学的模様の背景を消失させて、黒色系のインクで印刷された抽選番号「８４組  １９７４９５」が浮き立つようにするため、光源２２には、背景色に略合致した色の光を出射するＬＥＤが利用される。具体的には、この背景に対応する光は、７００〜９００ｎｍの波長の赤外線光が適切であることが実験により確かめられている。
【００１７】
従って、照射された光によって照らし出された特定の抽選対象ロゴ（抽選番号）の像は、結像レンズ部１４を介してＣＣＤ１０により撮像され、消失した背景上に浮かび上がっている特定の抽選番号に対し、モニタ画面８ａ上で不自然な部分が無いかどうかを容易に識別することができる（図５参照）。特に、偽造防止のために、背景が単色で複雑な図柄で印刷されている場合に最も効果的である。
【００１８】
更に、前述したように、光源２２と反射ミラー２４とで照明部２０を構成すると、図６に示すように、宝くじＰの表面に対し浅い角度をもって光を照射することができる。このような照射によって、特定の数字の切り貼り偽造を容易に発見することができる。すなわち、切り貼りした部分の輪郭（「９」の周囲における矩形の輪郭）は、宝くじＰに完全に馴染むことはなく、極僅かではあるが、不自然な亀裂や盛り上がりとなって現れる。
【００１９】
例えば、その箇所が亀裂となっているような場合、このような亀裂箇所Ａに、浅い角度から光が入ると、照明が届きにくい範囲が生じ、この範囲が暗く撮像される一方で、暗い部分の両側に明るい部分が発生する（図７参照）。よって、モニタ画面８ａ上では、「９」の周囲に線のような模様がくっきりと現れる（図５参照）。このような不自然さを画面８ａ上で際立たせると、目視では非常に鑑別しにくい偽造宝くじＰを、売り場などで簡単にチェックすることができる。
【００２０】
本発明は、前述した実施形態に限定されるものではない。例えば、紙葉類識別装置１の筺体２に接続端子３０（図１参照）を設け、この接続端子３０を介して画像処理装置３１に画像処理信号を送り込むようにしてもよい。この画像処理装置３１は、偽造数字の周囲に線のように現れている模様を検出するような画像処理がなされ、この処理に基づいてランプ等で警告を発するよう構成されている。この画像処理により、一層厳格な偽造チェックが可能となる。
【００２１】
【発明の効果】
本発明による紙葉類識別装置は、以上のように構成されているため、次のような効果を得る。すなわち、所定の背景の上に特定のロゴが印刷された紙葉類の特定のロゴを識別するための紙葉類識別装置であって、筐体内に配置されると共に、背景のうちの特定の印刷色に略合致するような色の光を照射する照明部と、筐体内に配置されると共に、照明部により照らし出された特定のロゴを撮像する撮像手段と、筐体内において、照明部と撮像手段との間に配置した結像レンズ部とを備えたことにより、所定の背景の上に特定のロゴが印刷された紙葉類の特定のロゴの識別を容易にする。
【図面の簡単な説明】
【図１】本発明に係る紙葉類識別装置の一実施形態を示す斜視図である。
【図２】図１に示した紙葉類識別装置の部分断面図である。
【図３】照明部を示す要部拡大平面図である。
【図４】偽造宝くじの要部を示す図である。
【図５】偽造宝くじの画像を示す図である。
【図６】偽造部分に光を照射した状態を模式的に示す図である。
【図７】偽造部分の輪郭における明暗のトーンを示す図である。
【符号の説明】
１…紙葉類識別装置、２…筐体、３…窓部（読取部位）、１０…ＣＣＤ（撮像手段）、１４…結像レンズ部、２０…照明部、２２…ＬＥＤ（光源）、２４…反射ミラー、Ｐ…宝くじ（紙葉類）。
【図１】
2004234357.tif 000003
【図２】
2004234357.tif 000004
【図３】
2004234357.tif 000005
【図４】
2004234357.tif 000006
【図５】
2004234357.tif 000007
【図６】
2004234357.tif 000008
【図７】
2004234357.tif 000009